(57)【要約】      （修正有）【課題】 異物捕集機能およびウォータハンマ発生防止機能を有した熱交換器用給水リングを提供する。【解決手段】 給水リング本体53の上部面に給水用の多孔穴55を設けることにより、蒸気発生器1000内の２次冷却系の水の水位を上昇させる目的で給水ノズル40から給水リング本体53内に２次冷却系の水が短時間に取り入れられても、給水リング本体53内に滞留していた蒸気は２次冷却系の水の水位が給水リング本体53の上面の高さに達する迄に全て給水リング本体53の外部に排出される。もしくは、給水リング本体53内に滞留していた蒸気が２次冷却系の水により冷却されて収縮した場合においては、多孔穴55より蒸気を給水リング本体53内に吸引することにより、「ウォーターハンマ」現象が抑制される。また、上記多孔穴55は給水リング本体53の上部面に設けられることにより、この給水のための多孔穴55から蒸気発生器1000内に異物が落下することがなくなる。【選択図】  図２Ａ
2006029704.tif 000002
【特許請求の範囲】
【請求項１】
発電プラント用蒸気発生器に備えられる給水リングであって、
上部面に給水用の多孔穴が設けられた給水リング本体と、
前記給水リング本体に接続されて、前記多孔穴が設けられた前記給水リング本体の前記上部面に対向するように配置されるカバーと
を具備する給水リング。
【請求項２】
請求項１に記載の給水リングにおいて、
前記多孔穴は前記給水リング本体の前記上部面に対して均一に設けられる
給水リング。
【請求項３】
請求項１または２に記載の給水リングにおいて、
さらに前記カバーの上部面にカバー用多孔穴が均一に設けられた
給水リング。
【請求項４】
請求項３に記載の給水リングにおいて、
前記カバー用多孔穴はベントホールである
給水リング。
【請求項５】
発電プラント用蒸気発生器に備えられる給水リングであって、
上向きに２次冷却用の水を射出する手段と、
前記上向きに射出された前記２次冷却用の水を下向きの流れに整流する手段と、
さらに前記２次冷却用の水を射出する際に前記２次冷却用の水に混入した異物を捕集する手段と
を備えた給水リング。
【請求項６】
請求項１から５までに記載の２次冷却系の水を給水する給水リングを有した上部胴と、
発熱器で加熱された１次冷却系の加圧水を内部に流して前記給水リングから給水される水から蒸気を発生させる伝熱管を有した下部胴と
を具備した蒸気発生器。
【請求項７】
請求項６に記載の蒸気発生器において、
前記多孔穴の直径は、前記伝熱管の配列間隔よりも小さい
蒸気発生器。
【請求項８】
発電プラント用蒸気発生器であって、
上向きに２次冷却用の水を射出する手段と、
前記上向きに射出された前記２次冷却用の水を下向きの流れに整流する手段と、
さらに前記２次冷却用の水を射出する際に前記２次冷却用の水に混入した異物を捕集する手段とを有する給水リングを備えた
蒸気発生器。
【請求項９】
請求項６から８までの少なくとも１項に記載の蒸気発生器と、
１次冷却系の水を加熱する発熱器と、
２次冷却系の水から発生した蒸気により発電するタービン発電機と
を備えた発電プラント。
【発明の詳細な説明】
【技術分野】
【０００１】
本発明は、異物捕集機能およびウォータハンマ発生防止機能を有した熱交換器用給水リングに関する。
【背景技術】
【０００２】
熱交換器、その中でも特に蒸気発生器は、発電プラントにおける１次系に係わる発熱器と２次系に係わるタービン発電機との接点であり、その信頼性を高めることは発電プラント全体の信頼性および稼働率を向上させる重要な機器である。
【０００３】
図１に、従来の蒸気発生器の断面図を示す。蒸気発生器は、上部胴３と下部胴６とを備えている。上部胴３と下部胴６とは同じ中心軸上に直列に接続されている。
【０００４】
下部胴６内部には伝熱管７が配置されており、１次系から送られてくる加圧水が一次冷却材入口ノズル９から伝熱管７中に送られて、伝熱管７中を循環することにより上部胴３から取り込まれて伝熱管７を被覆する２次系の水を気化させて蒸気を発生させる。そして、伝熱管７中を循環した加圧水は一次冷却材出口ノズル８から再度一次系に戻される。
【０００５】
上部胴３は、給水リング５を備えている。給水リング５に設けられた給水入口ノズル４から２次冷却系の水が取り込まれ、給水リング５の下部面に均等に設けられている多孔穴（図示せず）を介して下部胴６内に配置されている伝熱管７を取り囲むように均等に給水される。そして、２次系の水は伝熱管７により加熱されて蒸気が発生する。この蒸気は、上部胴３の上部に配設されている湿分分離器２により水分が分離されて、蒸気成分のみが上部胴３の頭頂部に設置されている蒸気出口ノズル１から２次系のタービン発電機に送られて、タービンが駆動されることにより発電が行われる。
【０００６】
従来の蒸気発生器１００に備えられている給水リング５の下部面には、上記したように下部胴６へ２次冷却系の水を給水するための多孔穴が均等に配設されている。
【０００７】
給水リング５は、通常の運転時には２次冷却系の水中に没している。しかし、何らかの原因で一旦水面上に浮上し、再度操作盤からの指示により給水リング５上部まで２次冷却系の水が給水された場合、下部面に多孔穴が配設されていることにより、給水リング５中に高温の蒸気が取り残される場合がある。給水リング５中に高温の蒸気が取り残されると、蒸気が給水リング５の外部を満たしてくる２次冷却系の水により冷却されて給水リング中の気圧が一気に下降し、いわゆる「ウォータハンマ」現象が起こる。そして、給水リング５の壁に内向きの応力が負荷され、給水リング５が損傷することがある。
【０００８】
また、多孔穴が下部面に配設されていることにより、２次冷却系の水と共に金属片などの異物が給水リング５に混入してきた場合には、この孔径よりも小さい径の異物は給水リング５から重力により下部胴６内に配置されている伝熱管７に落下する。落下した異物は、場合によっては伝熱管７の間に挟まり、蒸気発生器１００の運転による振動により、伝熱管７に損傷や破損を引き起こすことがある。
【０００９】
このような技術に関連して、以下に示すような提案がなされている。
【００１０】
特許第３１３１３１８号公報に開示されている「蒸気発生器の２次回路内の回遊物を補足するための装置」では、蒸気発生器の２次回路内の回遊物を補足するための装置であって、この２次回路の環状断面を横切って、この２次回路への水の取り入れ管の下流およびこの１次回路の管群への水の入口の上流に配置された濾過システムによって構成された装置が提案されている。
【００１１】
また、特開平５−１９６２０３号公報に開示されている「蒸気発生器及び同蒸気発生器における給水混合方法」では、蒸気発生器であって、胴部と、該胴部内に配置されて管束を形成する複数本の管と、該管の端部を受けるための複数個の貫通孔を有する管板と、管束を取り巻いて、胴部との間に環状の降水領域を画成する被覆体と、胴部に取り付けられて給水が蒸気発生器内に流入するのを可能にする入口ノズルと、降水領域内で胴部と被覆体との間に配置され且つ入口ノズルに取り付けられ、該入口ノズルから給水を受けて該給水を降水領域の少なくとも一部分全体に亙り実質的に均等に分配するための分配手段とを含み、該分配手段は、同分配手段から排出される給水を下降方向で被覆体と胴体との間の降水領域内に指向して、給水および再循環流体が降水領域から流出する前に、降水領域内で給水及び再循環流体を実質的に均等に混合し、蒸気発生器における熱衝撃及び水撃を制限するための指向手段を備えている蒸気発生器が提案されている。
【００１２】
また、特開２００１−３１７７０７号公報に開示されている「高圧給水加熱器のウォータハンマ防止装置」では、復水器からの復水を導き蒸気タービン系から抽気した蒸気で加熱し加熱水を蒸気発生源へ供給する複数段の高圧給水加熱器と、同複数段の加熱器間の接続され両加熱器内に溜まるドレンのレベルを調整するためのドレン管と、同ドレン管に設けられたドレンレベル制御弁とから構成される高圧給水加熱器の系統において、ドレンレベル制御弁に並設されるバイパスラインと、同バイパスラインに設けられたオリフィスとを備えた高圧給水加熱器のウォータハンマ防止装置が提案されている。
【００１３】
【特許文献１】特許第３１３１３１８号公報
【特許文献２】特開平５−１９６２０３号公報
【特許文献３】特開２００１−３１７７０７号公報
【発明の開示】
【発明が解決しようとする課題】
【００１４】
本発明の目的は、異物捕集機能およびウォータハンマ発生防止機能を有した熱交換器用給水リングを提供することである。
【課題を解決するための手段】
【００１５】
以下に、［発明を実施するための最良の形態］で使用する番号・符号を括弧付きで用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１６】
本発明の給水リング（５０）は、発電プラント用蒸気発生器に備えられる給水リングであって、上部面に給水用の多孔穴（５５）が設けられた給水リング本体（５３）と、給水リング本体（５３）に接続されて、多孔穴（５５）が設けられた給水リング本体（５３）の上部面に対向するように配置されるカバー（６０）とを備える。
【００１７】
また、本発明の給水リング（５０）の多孔穴（５５）は、給水リング本体（５３）の上部面に対して均一に設けられる。
【００１８】
また、本発明の給水リング（５００）のカバー（６００）の上部面にカバー用多孔穴（６５０）が均一に設けられる。
【００１９】
また、本発明の給水リング（５００）において、カバー用多孔穴（６５０）はベントホールである。
【００２０】
また、本発明の給水リング（５０，５００）は、発電プラント用蒸気発生器に備えられる給水リングであって、上向きに２次冷却用の水を射出する手段と、上向きに射出された２次冷却用の水を下向きの流れに整流する手段と、さらに２次冷却用の水を射出する際に２次冷却用の水に混入した異物を捕集する手段とを備える。
【００２１】
また、本発明の蒸気発生器（１０００、１００００）は、２次冷却系の水を給水する給水リング（５０，５００）を有した上部胴（３０，３００）と、発熱器で加熱された１次冷却系の加圧水を内部に流して給水リング（５０，５００）から給水される水から蒸気を発生させる伝熱管を有した下部胴とを備える。
【００２２】
また、本発明の蒸気発生器（１０００，１００００）の多孔穴（５５，５５０）の直径は、伝熱管の配列間隔よりも小さい。
【００２３】
また、本発明の蒸気発生器（１０００，１００００）は、発電プラント用蒸気発生器であって、上向きに２次冷却用の水を射出する手段と、上向きに射出された２次冷却用の水を下向きの流れに整流する手段と、さらに２次冷却用の水を射出する際に２次冷却用の水に混入した異物を捕集する手段とを有する給水リング（５０，５００）を備える。
【００２４】
また、本発明の発電プラント（８００）は、蒸気発生器（１０００、１００００）と、１次冷却系の水を加熱する発熱器（７００）と、２次冷却系の水から発生した蒸気により発電するタービン発電機（９００）とを備える。
【発明の効果】
【００２５】
本発明により、異物捕集機能およびウォータハンマ発生防止機能を有した熱交換器用給水リングを提供することができる。
【発明を実施するための最良の形態】
【００２６】
添付図面を参照して、本発明による異物捕集機能およびウォータハンマ発生防止機能を有した熱交換器（蒸気発生器）用給水リング、上記給水リングを備えた蒸気発生器および発電プラントを実施するための最良の形態を以下に説明する。
【００２７】
給水リングは、発電プラントにおける１次系に係わる発熱器と２次系に係わるタービン発電機との接点である蒸気発生器に備えられ、その信頼性を高めることは発電プラント全体の信頼性および稼働率を向上させる上で重要な機器である。
【００２８】
（実施の形態１）
図２Ａに、本発明の実施の形態１に係わる給水リングの概略図を示す。本実施の形態の給水リング５０は、蒸気発生器１０００において、背景技術で既述した従来の蒸気発生器１００に対する給水リング５と同等位置に配置されるものである。
【００２９】
本実施の形態における給水リング５０は、給水リング本体５３およびカバー６０を備えている。給水リング本体５３の上部面には、図２Ａに見られるように多孔穴５５が均等に設けられている。カバー６０は、図２Ｂに見られるように給水リング本体５３の多孔穴５５が設けられている領域に対向するように給水リング本体５３に接続されている。また、給水リング本体５３には、２次冷却系の水を取り入れるための給水入口ノズル４０が設置されている。
【００３０】
以下に本実施の形態の給水リング５０の動作原理について説明する。本実施の形態の給水リング５０は、蒸気発生器１０００の下部胴に配置されている伝熱管に対して均等に２次冷却系の水を給水するためのものであって、基本的な機能は、従来の蒸気発生器１００に備えられている給水リング５と同じであるが、給水のための多孔穴５５が給水リング本体５３の下部面上ではなく、上部面上に設けられていることと、この多孔穴５５が設けられた領域に対向する部分にカバー６０が配置されていることが、従来の給水リング５と構成的に異なる部分である。
【００３１】
蒸気発生器１０００の上部胴３０の規定高さになるまで、給水入口ノズル４０から給水リング本体５３中に２次冷却系の水が取り込まれる。取り込まれた２次冷却系の水は、給水リング本体５３を満たし、給水リング本体５３の上部面に設けられている多孔穴５５から給水リング本体５３外部に射出される。また、本実施の形態においては、多孔穴５５が設けられた領域に対向する部分にカバー６０が配置されていることにより、蒸気発生器１０００内に２次冷却系の水が満たされていく時に上向きの水流が制御され、上部胴３０および下部胴において定常的な水流が実現されている。また、多孔穴５５が給水リング本体５３の上部面に設けられていることにより、仮に給水入口ノズル４０から２次冷却系の水に紛れて金属片などの微細な異物が給水リング本体５３中に流入しても、下部胴の伝熱管にまで落下する可能性は低い。本実施の形態の給水リング５０において、給水リング本体５３の上部面に設けられた多孔穴５５は、５ｍｍ径が１０ｍｍピッチで配列された形態をとっている。多孔穴５５の孔半径５ｍｍは、本実施の形態の蒸気発生器１０００の下部胴に配置されている伝熱管の配列ピッチ（６ｍｍ）よりも小さく設定されており、金属片が多孔穴５５から外部へ流出した場合にも伝熱管の間に挟まることがなく、伝熱管を破損させることがなくなる。また、給水リング本体５３に蓄積された異物についても、給水リング５０メンテナンス時にまとめて回収することができる。
【００３２】
次に、本実施の形態の給水リング５０が何らかの過渡事象により２次冷却系の水の水面上に浮上した状況時について説明する。通常、給水リング５０が何らかの過渡事象により２次系の水の水面上に浮上した場合、オペレーターによりこれが監視されていて、直ちに給水リング５０の上部まで２次冷却系の水面を上昇させる操作が行われる。このとき、給水リング本体５３中に蒸気が滞留してしまうと、蒸気が２次冷却系の水により冷却されて収縮することにより、給水リング本体５３内で「ウォーターハンマ」と呼ばれる現象が発生し、給水リング本体５３の壁材に内向きの応力が負荷される。このときの応力が大きいと、給水リング５０の破損が生じる。
【００３３】
本実施の形態の給水リング５０においては、上記したように給水用の多孔穴５５が給水リング本体５３の上部面に設けられている。このため、蒸気発生器１０００内の２次冷却系の水の水位を上昇させる目的で給水ノズル４０から給水リング本体５３内に２次冷却系の水が短時間に取り入れられても、給水リング本体５３内に滞留していた蒸気は２次系の水の水位が給水リング本体５３の上面の高さに達する迄に全て上部面に設けられた多孔穴５５を通って給水リング本体５３外に排出される。もしくは、給水リング本体５３内に滞留していた蒸気が２次冷却系の水により冷却されて収縮した場合においては、多孔穴５５より蒸気が給水リング本体５３内に吸引される。
【００３４】
このため、本実施の形態の給水リング５０においては、従来問題となっていた「ウォーターハンマ」現象を抑制することができる。
【００３５】
このように、本実施の形態の給水リング５０においては、給水リング本体５３の上部面に多孔穴５５が設けられて、且つ多孔穴５５の孔半径が、下部胴に配置されている伝熱管の配列ピッチよりも小さく設定されていることにより、伝熱管に対する信頼性が上げられ、また、ウォーターハンマ現象の抑制がなされていることにより、信頼性の高い給水リングが実現されている。
【００３６】
（実施の形態２）
図３Ａに、本発明の実施の形態２に係わる給水リング５００の垂直方向上部から見た概略図を示す。
【００３７】
本実施の形態２の基本的な構造および動作原理は実施の形態１に記載されている給水リング５０と基本的に同等である。但し、本実施の形態においては、給水リング本体５３０に接続されたカバー６００にベントホール６５０が設けられている。
【００３８】
本実施の形態の給水リング５００は、蒸気発生器１００００に対して、背景技術および実施の形態１で既述した蒸気発生器１００、１０００に対する給水リング５、５０と同等位置に配置されるものである。
【００３９】
本実施の形態における給水リング５００は、給水リング本体５３０およびカバー６００を備えている。給水リング本体５３０の上部面には、図３Ａに見られているように多孔穴５５０が均等に設けられている。カバー６００は、図３Ｂに示されるように、給水リング本体５３０の多孔穴５５０が設けられている領域に対向するように給水リング本体５３０に接続されている。また、給水リング本体５３０には、２次冷却系の水を取り入れるための給水入口ノズル４００が設置されている。本実施の形態においては、さらにカバー６００に複数のベントホール６５０が設けられている。ベントホールは、図３Ａおよび図３Ｂに示されるように、給水リング本体５３０上部面に設けられている多孔穴５５０に対向しているカバー６００の上面部に環状に設けられている。
【００４０】
以下に、本実施の形態の給水リング５００の動作原理について説明する。本実施の形態の給水リング５００は、蒸気発生器１００００の下部胴に配置されている伝熱管を覆うように均等に２次冷却系の水を供給するためのものであって、基本的な機能は、従来の蒸気発生器１００および実施の形態２の蒸気発生器１０００に備えられている給水リング５、５０と同じである。しかし本実施の形態においては、給水のための多孔穴５５０が給水リング本体５３０の下部面上ではなく、上部面上に設けられていることと、且つ、この多孔穴５５０が設けられた領域に対向する部分に、ベントホール６５０を備えたカバー６００が配置されていることが従来の給水リング５および実施の形態１における給水リング５０と構成的に異なっているところである。
【００４１】
蒸気発生器１００００の上部胴３００の規定高さになるまで、給水入口ノズル４００から給水リング本体５３０中に２次冷却系の水が取り込まれる。取り込まれた２次冷却系の水は給水リング本体５３０を満たし、給水リング本体５３０の上部面に設けられている多孔穴５５０から給水リング本体５３０外部に射出される。また、本実施の形態においても、実施の形態２と同様に多孔穴５５０が設けられた領域に対向する部分にカバー６００が配置されていることにより、蒸気発生器１０００内に２次冷却系の水が満たされていく時に上向きの水流が制御され、上部胴３００および下部胴において定常的な水流が実現されている。また、多孔穴５５０が給水リング本体５３０の上部面に設けられていることにより、仮に給水入口ノズル４００から２次冷却系の水に紛れて金属片などの微細な異物が給水リング本体５３０中に流入しても、下部胴の伝熱管にまで落下する可能性は低い。また、本実施の形態の給水リング５００においても、給水リング本体５３０の上部面に設けられた多孔穴５５０の穴径が、本実施の形態の蒸気発生器１００００の下部胴に配置されている伝熱管の配列ピッチよりも小さく設定されている。そのため、金属片が多孔穴５５０から外部へ流出した場合にも伝熱管の間に挟まることがなく、伝熱管を破損させない。また、給水リング本体５３０に蓄積された異物についても、給水リング５００メンテナンス時にまとめて回収することができる。
【００４２】
次に、本実施の形態の給水リング５００が何らかの過渡事象により２次系の水の水面上に浮上した状況時について説明する。通常、給水リング５００が何らかの過渡事象により２次系の水の水面上に浮上した場合、オペレーターによりこれが監視されていて、直ちに給水リング５００の上部まで２次系の水面を上昇させる操作が行われる。このとき、給水リング本体５３０中に蒸気が滞留してしまうと、蒸気が２次冷却系の水により冷却されて収縮することにより、給水リング本体５３０内で「ウォーターハンマ」と呼ばれる現象が発生し、給水リング本体５３０の壁材に内向の応力が負荷される。このときの応力が大きいと、給水リング５００の破損が生じる。
【００４３】
本実施の形態の給水リング５００においては、上記したように給水用の多孔穴５５０が給水リング本体５３０の上部面に設けられている。このため、蒸気発生器１００００内の２次系の水の水位を上昇させる目的で給水ノズル４００から給水リング本体５３０内に２次冷却系の水が短時間に取り入れられても、給水リング本体５３０内に滞留していた蒸気は２次冷却系の水の水位が給水リング本体５３０の上面の高さに達する迄に全て給水リング本体５３０の外部に排出され内部に残留することがない。もしくは、給水リング本体５３０内に滞留していた蒸気が２次冷却系の水により冷却されて収縮した場合においては、多孔穴５５０より蒸気が給水リング本体５３０内に吸引される。
【００４４】
このため、本実施の形態の給水リング５００においては、従来問題となっていた「ウォーターハンマ」現象を抑制することができる。
【００４５】
本実施の形態においては、蒸気発生器１００００内の２次系の水の水位がさらに上昇し、給水リング本体５３０と給水リング本体５３０に接続されて設置されているカバー６００との間に蒸気が滞留し、それが２次冷却系の水に接触することで起こる「ウォーターハンマ」現象を抑制することを目的として、カバー６００上部面にも図３Ａおよび図３Ｂに見られるような複数のベントホール６５０が設けられている。
【００４６】
このベントホールが設けられていることにより、蒸気発生器１００００下部胴から徐々に上昇してきた２次冷却水は、給水リング本体５３０と給水リング本体５３０に接続されて設置されているカバー６００との間に滞留することなく、ベントホール６５０を介して蒸気発生器１００００上部へと抜け出る。これにより、給水リング本体５３０と給水リング本体５３０に接続されて設置されているカバー６００との間に「ウォーターハンマ」現象による応力が負荷されることなく２次冷却水の水位が通常時にまで戻される。
【００４７】
このように、本実施の形態の給水リング５００においては、実施の形態１に示された機構に加えて、さらにカバー６００上部面にも複数のベントホール６５０が設けられている。このことにより、本実施の形態においては、実施の形態１に示された作用効果に加えて、さらに給水リング本体５３０と給水リング本体５３０に接続されて設置されているカバー６００との間に蒸気が滞留し、それが２次冷却水に接触することで起こる「ウォーターハンマ」現象を抑制することができる。そして、実施の形態１と比較しても、さらに信頼性の高い給水リングを提供することができる。
【００４８】
（実施の形態３）
図４に、本発明の実施の形態３に係わる発電プラント８００の構成図を示す。
【００４９】
本実施の形態に係わる発電プラント８００は、実施の形態１または２に記載されている給水リング５０，５００を有した蒸気発生器１０００，１００００、１次冷却系の水を加熱する発熱器７００、２次冷却系の水から発生した蒸気により発電するタービン発電機９００を備えている。
【００５０】
本実施の形態の発電プラント８００においては、１次冷却系の水を加熱する発熱器７００と、２次冷却系の水から発生した蒸気により発電するタービン発電機９００との中間に蒸気発生器１０００，１００００が接続されている。１次系に係わる発熱器７００において１次冷却系の水が加熱され、この加熱水は加圧されて１次冷却系の配管内を送られて蒸気発生器１０００，１００００中の下部胴に配置されている伝熱管に導かれる。蒸気発生器１０００，１００００下部胴に配置されている伝熱管の周囲には蒸気発生器１０００，１００００の上部胴３０，３００に備えられた給水リング５０、５００から給水された２次冷却系の水が満たされている。伝熱管の内部を巡回する加圧水により、２次冷却系の水が加熱されて蒸気となり、この蒸気は蒸気発生器１０００，１００００の頭頂部に配置されている蒸気出口ノズルから２次冷却系の配管を通ってタービン発電機９００に送られる。タービン発電機９００において、蒸気発生器１０００，１００００から送られてくる蒸気によりタービン発電機９００に備えられているタービンが駆動されて電力が取り出される。タービンを駆動し終えた蒸気は再び水に戻されて再度２次冷却系の配管に戻されて蒸気発生器１０００，１００００に送られることにより循環して再利用される。また、１次系の加圧水についても、蒸気発生器１０００，１００００の下部胴に配置された伝熱管を配送されて１次冷却系の水を蒸発させた後、再び１次冷却系の配管を通って１次系に係わる発熱器７００に戻されて再加熱される。
【００５１】
本実施の形態の発電プラント８００においては、その構成要素である蒸気発生器１０００、１００００に、実施の形態１または２に記載の給水リング５０，５００が備えられていることにより、極めて信頼性の高い発電プラント８００が実現されている。
【図面の簡単な説明】
【００５２】
【図１】従来の熱交換器用給水リングを備えた熱交換器（蒸気発生器）示す斜視図である。
【図２Ａ】本発明の実施の形態１に係わる、蒸気発生器用給水リングのリング部を示す斜視図である。
【図２Ｂ】本発明の実施の形態１に係わる、蒸気発生器用給水リングのリング部のカバー配置を示す斜視図である。
【図３Ａ】本発明の実施の形態２に係わる、熱交換器用給水リングのリングカバー部を示す斜視図である。
【図３Ｂ】本発明の実施の形態２に係わる、蒸気発生器用給水リングのリング部のカバー配置を示す斜視図である。
【図４】本発明の実施の形態３に係わる、発電プラントの構成図である。
【符号の説明】
【００５３】
１…蒸気出口ノズル
２…湿分分離器
３、３０、３００…上胴部
４、４０、４００…給水入口ノズル
５、５０、５００…給水リング
６…下胴部
７…伝熱管
８…一次冷却材出口ノズル
９…一次冷却材入口ノズル
５３、５３０…給水リング本体
５５、５５０…多孔穴
６０、６００…カバー
６５、５６０…ベントホール
１００、１０００、１００００…蒸気発生器
７００…発熱器
８００…発電プラント
９００…タービン発電機
【図１】
2006029704.tif 000003
【図２Ａ】
2006029704.tif 000004
【図２Ｂ】
2006029704.tif 000005
【図３Ａ】
2006029704.tif 000006
【図３Ｂ】
2006029704.tif 000007
【図４】
2006029704.tif 000008